(57)【要約】【課題】撮影画像に応じて最適な記録処理を行なうことができる撮影装置を提供する。【解決手段】撮影した画像の高周波成分を検出して被写体像の鮮鋭度を示す評価値を求め、その評価値に応じて記録メディアに記録する画像の画像サイズを設定する。すなわち、評価値の高い画像は大きい画像サイズで記録し、評価値の低い画像は小さい画像サイズにリサイズして記録する。【選択図】      図５
2005159603.tif 000002
【特許請求の範囲】
【請求項１】
撮像素子から得られる画像信号に所要の信号処理を施すことにより画像データを生成し、記録メディアに記録する撮影装置において、
前記撮像素子から得られる画像信号の高周波成分を検出して被写体像の鮮鋭度を示す評価値を求める評価値演算手段と、
評価値に応じて設定すべき画像データの画像サイズの情報が画像サイズ設定情報として記憶された画像サイズ設定情報記憶手段と、
前記評価値演算手段で算出された評価値から前記記録メディアに記録する画像データの画像サイズを前記画像サイズ設定情報記憶手段に記憶された画像サイズ設定情報に基づいて設定する画像サイズ設定手段と、
前記記録メディアに記録する画像データの画像サイズを前記画像サイズ設定手段で設定された画像サイズに変換する画像サイズ変換手段と、
を備えたことを特徴とする撮影装置。
【請求項２】
評価値に応じて設定すべき画像データの圧縮率の情報が圧縮率設定情報として記憶された圧縮率設定情報記憶手段と、
前記評価値演算手段で算出された評価値から前記記録メディアに記録する画像データの圧縮率を前記圧縮率設定情報記憶手段に記憶された圧縮率設定情報に基づいて設定する圧縮率設定手段と、
前記記録メディアに記録する画像データを前記圧縮率設定手段で設定された圧縮率で圧縮する圧縮手段と、
を備えたことを特徴とする請求項１に記載の撮影装置。
【請求項３】
撮像素子から得られる画像信号に所要の信号処理を施すことにより画像データを生成し、記録メディアに記録する撮影装置において、
画像データを圧縮する圧縮手段と、
規定の圧縮率で仮圧縮された画像データのデータサイズに応じて設定すべき画像データの画像サイズの情報が画像サイズ設定情報として記憶された画像サイズ設定情報記憶手段と、
前記圧縮手段により規定の圧縮率で仮圧縮された画像データのデータサイズから前記記録メディアに記録する画像データの画像サイズを前記画像サイズ設定情報記憶手段に記憶された画像サイズ設定情報に基づいて設定する画像サイズ設定手段と、
前記記録メディアに記録する画像データの画像サイズを前記画像サイズ設定手段で設定された画像サイズに変換する画像サイズ変換手段と、
を備えたことを特徴とする撮影装置。
【請求項４】
規定の圧縮率で仮圧縮された画像データのデータサイズに応じて設定すべき画像データの圧縮率の情報が圧縮率設定情報として記憶された圧縮率設定情報記憶手段と、
前記圧縮手段により規定の圧縮率で仮圧縮された画像データのデータサイズから前記記録メディアに記録する画像データの圧縮率を前記圧縮率設定情報記憶手段に記憶された圧縮率設定情報に基づいて設定する圧縮率設定手段と、
を備え、前記圧縮手段は、前記記録メディアに記録する画像データを前記圧縮率設定手段で設定された圧縮率で圧縮することを特徴とする請求項３に記載の撮影装置。
【発明の詳細な説明】
【技術分野】
【０００１】
本発明は撮影装置に係り、特に撮影した画像の画像サイズを自動で切り替えることができる撮影装置に関する。
【背景技術】
【０００２】
撮影した画像をデジタルデータとして記録するデジタルカメラは、記録メディアを有効に活用するために、撮影目的に応じて画質レベルを選択できるようにされている。一般に画質レベルの設定は、メニュー画面等で撮影前にユーザが手動で行い、撮影時は、その選択された画質レベルに応じて画像がリサイズ、圧縮される。
【０００３】
しかしながら、ユーザの手動操作による設定では、間違って設定しまうおそれがあり、この結果、ユーザが意図したものと異なるレベルで画像が記録されてしまうという問題があった。
【０００４】
そこで、特許文献１では、撮影後に画質レベルを変更できるデジタルカメラを提案している。
【特許文献１】特開平９−３２２１１０号公報
【発明の開示】
【発明が解決しようとする課題】
【０００５】
しかしながら、特許文献１の場合も画質レベルの設定はユーザが行なわなければならず、操作に煩わしさが残るという欠点がある。
【０００６】
また、撮影に慣れていないユーザにとって画質レベルの設定基準の判断は難しく、不要に高画質で設定して、記録メディアの容量を無駄に使ってしまうという問題がある。
【０００７】
本発明は、このような事情に鑑みてなされたもので、撮影画像に応じて最適な記録処理を行なうことができる撮影装置を提供することを目的とする。
【課題を解決するための手段】
【０００８】
請求項１に係る発明は、前記目的を達成するために、撮像素子から得られる画像信号に所要の信号処理を施すことにより画像データを生成し、記録メディアに記録する撮影装置において、前記撮像素子から得られる画像信号の高周波成分を検出して被写体像の鮮鋭度を示す評価値を求める評価値演算手段と、評価値に応じて設定すべき画像データの画像サイズの情報が画像サイズ設定情報として記憶された画像サイズ設定情報記憶手段と、前記評価値演算手段で算出された評価値から前記記録メディアに記録する画像データの画像サイズを前記画像サイズ設定情報記憶手段に記憶された画像サイズ設定情報に基づいて設定する画像サイズ設定手段と、前記記録メディアに記録する画像データの画像サイズを前記画像サイズ設定手段で設定された画像サイズに変換する画像サイズ変換手段と、を備えたことを特徴とする撮影装置を提供する。
【０００９】
本発明によれば、評価値に応じて記録メディアに記録される画像データの画像サイズが自動的に設定される。すなわち、高周波成分が多く、評価値の高い画像は、絵柄が細かい画像といえるので、大きい画像サイズに設定され、高周波成分が少なく、評価値の低い画像は、絵柄が粗い画像といえるので、小さい画像サイズに設定される。これにより、面倒な画像サイズの設定を行なうことなく、常に最適な画像サイズで画像を記録メディアに記録することができる。
【００１０】
また、請求項２に係る発明は、前記目的を達成するために、評価値に応じて設定すべき画像データの圧縮率の情報が圧縮率設定情報として記憶された圧縮率設定情報記憶手段と、前記評価値演算手段で算出された評価値から前記記録メディアに記録する画像データの圧縮率を前記圧縮率設定情報記憶手段に記憶された圧縮率設定情報に基づいて設定する圧縮率設定手段と、前記記録メディアに記録する画像データを前記圧縮率設定手段で設定された圧縮率で圧縮する圧縮手段と、を備えたことを特徴とする請求項１に記載の撮影装置を提供する。
【００１１】
本発明によれば、評価値に応じて圧縮率も自動設定される。すなわち、高周波成分が多く、評価値の高い画像は、高い圧縮率に設定され、高周波成分が少なく、評価値の低い画像は、低い圧縮率に設定される。これにより、面倒な設定を行なうことなく、常に最適な画像サイズ、圧縮率で画像を記録メディアに記録することができる。
【００１２】
また、請求項３に係る発明は、前記目的を達成するために、撮像素子から得られる画像信号に所要の信号処理を施すことにより画像データを生成し、記録メディアに記録する撮影装置において、画像データを圧縮する圧縮手段と、規定の圧縮率で仮圧縮された画像データのデータサイズに応じて設定すべき画像データの画像サイズの情報が画像サイズ設定情報として記憶された画像サイズ設定情報記憶手段と、前記圧縮手段により規定の圧縮率で仮圧縮された画像データのデータサイズから前記記録メディアに記録する画像データの画像サイズを前記画像サイズ設定情報記憶手段に記憶された画像サイズ設定情報に基づいて設定する画像サイズ設定手段と、前記記録メディアに記録する画像データの画像サイズを前記画像サイズ設定手段で設定された画像サイズに変換する画像サイズ変換手段と、を備えたことを特徴とする撮影装置を提供する。
【００１３】
本発明によれば、規定の圧縮率で仮圧縮された画像データの圧縮後のデータサイズに応じて記録メディアに記録される画像データの画像サイズが自動的に設定される。すなわち、仮圧縮後のデータサイズが大きい画像は、高周波成分が多く、絵柄が細かい画像といえるので、大きい画像サイズに設定され、仮圧縮後のデータサイズが小さい画像は、高周波成分が少なく、絵柄が粗い画像といえるので、小さい画像サイズに設定される。これにより、面倒な設定を行なうことなく、常に最適な画像サイズで画像を記録メディアに記録することができる。
【００１４】
また、請求項４に係る発明は、前記目的を達成するために、規定の圧縮率で仮圧縮された画像データのデータサイズに応じて設定すべき画像データの圧縮率の情報が圧縮率設定情報として記憶された圧縮率設定情報記憶手段と、前記圧縮手段により規定の圧縮率で仮圧縮された画像データのデータサイズから前記記録メディアに記録する画像データの圧縮率を前記圧縮率設定情報記憶手段に記憶された圧縮率設定情報に基づいて設定する圧縮率設定手段と、を備え、前記圧縮手段は、前記記録メディアに記録する画像データを前記圧縮率設定手段で設定された圧縮率で圧縮することを特徴とする請求項３に記載の撮影装置を提供する。
【００１５】
本発明によれば、仮圧縮後の画像データのデータサイズに応じて圧縮率も自動設定される。すなわち、仮圧縮後の画像データのデータサイズが大きく、高周波成分が多い画像は高い圧縮率に設定され、仮圧縮後の画像データのデータサイズが小さく、高周波成分が少ない画像は低い圧縮率に設定される。これにより、面倒な設定を行なうことなく、常に最適な画像サイズ、圧縮率で画像を記録メディアに記録することができる。
【発明の効果】
【００１６】
本発明によれば、撮影画像に応じて最適な記録処理を自動で行なって画像を記録メディアに記録することができる。
【発明を実施するための最良の形態】
【００１７】
以下、添付図面に従って本発明に係る撮影装置を実施するための最良の形態について説明する。
【００１８】
図１、図２は、それぞれ本発明が適用されたデジタルカメラ１０の正面斜視図と背面斜視図である。
【００１９】
図１に示すように、カメラボディ１２の正面には、レンズ１４、ストロボ１６、ファインダ窓１８、ＡＦ補助光ランプ２０、セルフタイマランプ２２、ストロボ調光センサ２４等が設けられており、上面にはシャッターボタン２６、電源スイッチ２８、モードダイヤル３０等が設けられている。
【００２０】
また、図２に示すように、カメラボディ１２の背面には、モニタ３２、ファインダ接眼部３４、ズームボタン３６、表示ボタン３８、メニュー／ＯＫボタン４０、ＢＡＣＫボタン４２、十字ボタン４４等が設けられており、下面にはバッテリーカバー４６、三脚用ねじ穴４８等が設けられている。
【００２１】
シャッターボタン２６は、半押しと全押しとからなる２段ストローク式のスイッチで構成されており、このシャッターボタン２６の半押しでカメラはＡＥ／ＡＦが作動し、全押しで撮影が行なわれる。
【００２２】
電源スイッチ２８は、モードスイッチと兼ねて構成されており、「ＯＦＦ位置」と「再生位置」と「撮影位置」との間をスライド自在に設けられている。デジタルカメラ１０は、この電源スイッチ２８を「ＯＦＦ位置」から「再生位置」までスライド移動させることにより、再生モードの下で電源が投入され、「撮影位置」までスライド移動させることにより、撮影モードの下で電源が投入される。
【００２３】
モードダイヤル３０は、撮影モードの切り替えを指示する操作ダイヤルであり、このモードダイヤル３０の設定位置により、デジタルカメラ１０は、「オート撮影モード」、「プログラム撮影モード」、「シャッター速度優先撮影モード」、「絞り優先撮影モード」、「マニュアル撮影モード」、「人物撮影モード」、「風景撮影モード」、「スポーツ撮影モード」、「夜景撮影モード」又は「動画撮影モード」に設定される。
【００２４】
モニタ３２は、カラー表示可能な液晶ディスプレイで構成されており、記録済み画像の表示画面として利用されるとともに、ユーザインターフェースの表示画面として利用される。また、撮影時には画角確認用の電子ファインダとしても使用される。表示ボタン３８は、このモニタ３２の表示内容の切り替えを指示するボタンとして機能する。
【００２５】
ズームボタン３６は、撮影時及び再生時における画像のズームを指示するボタンとして機能する。このズームボタン３６は、ズームテレボタン３６Ｔとズームワイドボタン３６Ｗとからなり、ズームテレボタン３６Ｔを押すことにより、ズームがテレ側に操作され、ズームワイドボタン３６Ｗを押すことにより、ズームがワイド側に操作される。
【００２６】
メニュー／ＯＫボタン４０は、各モードの通常画面からメニュー画面への遷移を指示するボタン（メニューボタン）として機能するとともに、選択内容の確定、実行を指示するボタン（ＯＫボタン）として機能し、ＢＡＣＫボタン４２は、入力操作のキャンセル等を指示するボタンとして機能する。
【００２７】
十字ボタン４４は、上下左右４方向の指示を入力するボタンとして機能し、メニュー画面でメニュー項目の選択などに使用される。また、撮影時には、右キーがストロボボタンとして機能するとともに、左キーがマクロボタンとして機能する。すなわち、撮影中、この十字ボタン４４の左キーを押すことにより、マクロ機能がオン／オフされ、右キーを押すことにより、ストロボモードが「オート」、「赤目軽減発光」、「発光禁止」、「スローシンクロ」に切り替えられる。
【００２８】
バッテリーカバー４６は、開閉自在に設けられており、この内側にはバッテリーを装填するバッテリー挿入部と、記録メディアを装填するカードスロットが設けられている（不図示）。
【００２９】
図３は、図１及び図２に示したデジタルカメラ１０の内部構成を示すブロック図である。
【００３０】
デジタルカメラ１０は、全体の動作を中央処理装置（ＣＰＵ）１１０によって統括制御されている。ＣＰＵ１１０は、操作部１１２（シャッターボタン２６、電源スイッチ２８、モードダイヤル３０、ズームボタン３６、表示ボタン３８、メニュー／ＯＫボタン４０、ＢＡＣＫボタン４２、十字ボタン４４）からの入力情報に基づき所定のプログラムに従って本カメラシステムを制御する。
【００３１】
バス１１４を介してＣＰＵ１１０と接続されたＲＯＭ１１６には、このＣＰＵ１１０が実行するプログラム及び制御に必要な各種データ等が格納されており、ＥＥＰＲＯＭ１１８には、フォルダの管理情報などのデジタルカメラ１０の動作に関する各種設定情報等が格納されている。なお、メモリ（ＳＤＲＡＭ）１２０は、ＣＰＵ１１０の演算作業用領域として利用されるとともに、画像データや音声データの一時記憶領域として利用され、ＶＲＡＭ１２２は、画像データ専用の一時記憶領域として利用される。
【００３２】
デジタルカメラ１０は、電源スイッチ２８を撮影位置に移動させ、カメラのモードを撮影モードに設定すると撮影が可能になり、固体撮像素子（ＣＣＤ）１２４を含む撮像部に電源が供給される。
【００３３】
レンズ１４を通過した光は、絞り１５を介してＣＣＤ１２４の受光面に結像される。ＣＣＤ１２４の受光面には多数のフォトダイオード（受光素子）が二次元的に配列されており、各フォトダイオードに対応して赤（Ｒ）、緑（Ｇ）、青（Ｂ）の原色カラーフィルタが、所定の配列構造（ベイヤー、Ｇストライプなど）で配置されている。また、ＣＣＤ１２４は、各フォトダイオードの電荷蓄積時間（シャッタースピード）を制御する電子シャッタ機能を有しており、ＣＰＵ１１０は、タイミングジェネレータ１２６を介してＣＣＤ１２４の電荷蓄積時間を制御する。
【００３４】
ＣＣＤ１２４の受光面に結像された被写体像は、各フォトダイオードによって入射光量に応じた量の信号電荷に変換される。各フォトダイオードに蓄積された信号電荷は、ＣＰＵ１１０の指令に従いタイミングジェネレータ１２６から与えられる駆動パルスに基づいて信号電荷に応じた電圧信号（画像信号）として順次読み出される。
【００３５】
ＣＣＤ１２４から出力された画像信号は、アナログ処理部（ＣＤＳ／ＡＭＰ）１２８に送られ、ここで画素ごとのＲ、Ｇ、Ｂ信号がサンプリングホールド（相関二重サンプリング処理）されたのち、増幅され、Ａ／Ｄ変換器１３０に加えられる。
【００３６】
Ａ／Ｄ変換器１３０は、アナログ処理部１２８から出力されたアナログのＲ、Ｇ、Ｂ信号をデジタルのＲ、Ｇ、Ｂ信号に変換する。そして、このＡ／Ｄ変換器１３０から出力されたデジタルのＲ、Ｇ、Ｂ信号が画像入力コントローラ１３２を介してメモリ１２０に格納される。
【００３７】
画像信号処理回路１３４は、ＣＰＵ１１０からの指令に従ってメモリ１２０に格納された画像信号に対して、オフセット処理、ホワイトバランス補正及び感度補正を含むゲイン・ コントロール処理、ガンマ補正処理等の所定の信号処理を行い、輝度信号（Ｙ信号）及び色差信号（Ｃr,Ｃb 信号）に変換するとともに、必要に応じてリサイズ処理を行い、その処理後の画像データをＶＲＡＭ１２２に出力する。
【００３８】
撮影画像をモニタ３２に出力する場合は、ＶＲＡＭ１２２からビデオエンコーダ１３６を介してモニタ３２に出力する。ビデオエンコーダ１３６は、入力された画像データを表示用のビデオ信号に変換してモニタ３２に出力する。これにより、ＣＣＤ１２４で捉えた画像がモニタ３２に表示される。
【００３９】
ＣＣＤ１２４から画像信号を定期的に取り込み、その画像信号から生成される画像データによってＶＲＡＭ１２２内の画像データを定期的に書き換えて、モニタ３２に出力することにより、ＣＣＤ１２４で捉えた画像がリアルタイムに表示される。撮影者は、このモニタ３２にリアルタイムに表示される画像（スルー画像）を見ることにより、撮影画角を確認することができる。
【００４０】
撮影はシャッターボタン２６の押下により行なわれ、まず、シャッターボタン２６が半押しされると、操作部１１２からＣＰＵ１１０にＳ１オン信号が入力され、ＣＰＵ１１０はＡＥ／ＡＦ処理を開始する。
【００４１】
まず、画像入力コントローラ１３２を介してＣＣＤ１２４から取り込まれた画像信号がＡＦ検出回路１３８並びにＡＥ／ＡＷＢ検出回路１４０に入力される。
【００４２】
ＡＥ／ＡＷＢ検出回路１４０は、１画面を複数のエリア（例えば、１６×１６）に分割し、分割エリアごとにＲ、Ｇ、Ｂ信号を積算する回路を含み、その積算値をＣＰＵ１１０に提供する。ＣＰＵ１１０は、ＡＥ／ＡＷＢ検出回路１４０から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従いＣＣＤ１２４の電子シャッターと絞り駆動部１４２を制御して適正な露光量を得る。
【００４３】
また、ＡＥ／ＡＷＢ検出回路１４０は、自動ホワイトバランス調整時、分割エリアごとにＲ、Ｇ、Ｂ信号の色別の平均積算値を算出し、その算出結果をＣＰＵ１１０に提供する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００４４】
ＡＦ検出回路１３８は、高周波成分抽出回路と積算回路とを有し、入力される画像信号のうちＧ成分のデータをサンプリングして所定のフォーカスエリア内での高周波成分を抽出するとともにその絶対値をとり、設定されたエリア内で絶対値データを積算して得られた値（評価値）をＣＰＵ１１０に通知する。ＣＰＵ１１０は、フォーカスレンズ駆動部１４４Ａを制御してフォーカスレンズ１４Ａを移動させながら、複数のＡＦ検出ポイントで評価値を演算し、評価値が極大となるレンズ位置を合焦位置として決定する。そして、求めた合焦位置にフォーカスレンズ１４Ａが移動するようにフォーカスレンズ駆動部１４４Ａを制御する。
【００４５】
以上のように、シャッターボタン２６の半押しに応動して、ＡＥ／ＡＦ処理が行なわれる。
【００４６】
なお、撮影者は必要に応じてズームボタン３６を操作し、レンズ１４をズーミングさせて画角を調整する。ズームテレボタン３６Ｔが操作されると、ＣＰＵ１１０にズームテレ信号が入力される。ＣＰＵ１１０は、このズームテレ信号に応動してズームレンズ駆動部１４４Ｂを駆動し、ズームレンズ１４Ｂをテレ側に移動させる。また、ズームワイドボタン３６Ｗが操作されると、ＣＰＵ１１０にズームワイド信号が入力される。ＣＰＵ１１０は、このズームワイド信号に応動してズームレンズ駆動部１４４Ｂを駆動し、ズームレンズ１４Ｂをワイド側に移動させる。
【００４７】
この後、シャッターボタン２６が全押しされると、ＣＰＵ１１０にＳ２オン信号が入力される。ＣＰＵ１１０は、このＳ２オン信号に応動して撮影、記録処理を開始する。
【００４８】
まず、１コマ分の画像信号が、ＣＣＤ１２４からアナログ処理部１２８、Ａ／Ｄ変換器１３０、画像入力コントローラ１３２を介してメモリ１２０に取り込まれ、画像信号処理回路１３４で所定の信号処理が施されてメモリ１２０に格納される。
【００４９】
メモリ１２０に格納された画像データは、圧縮伸張回路１４６によってＪＰＥＧ圧縮された後、メディアコントローラ１４８を介して記録メディア１５０に記録される。
【００５０】
電源スイッチ２８により再生モードが選択されると、記録メディア１５０から画像データ（記録メディア１５０に最後に記録された画像データ）が読み出される。記録メディア１５０から読み出された画像データは、圧縮伸張回路１４６を介して非圧縮のＹＣ信号に伸張されたのち、画像信号処理回路１３４及びビデオエンコーダ１３６を介してモニタ３２に出力される。これにより、記録メディア１５０に記録されている画像がモニタ３２に再生表示される。
【００５１】
画像のコマ送りは、十字ボタン４４の操作で行なわれ、十字ボタン４４の右キーが押されると、次の画像データが記録メディア１５０から読み出され、モニタ３２に再生表示される。そして、十字ボタン４４の左キーが押されると、前の画像データが記録メディア１５０から読み出され、モニタ３２に再生表示される。
【００５２】
さて、上記のように、画像はＣＣＤ１２４で撮像され、所要の信号処理を施されて記録メディア１５０に記録されるが、必ずしも原画像のサイズのまま記録する必要はなく、画像の用途によってはリサイズして記録した方が好ましい場合もある。
【００５３】
そこで、本実施の形態では、画像データの記録サイズ、すなわち、記録メディア１５０に記録する画像データの画像サイズをユーザが任意に設定できるようにしている。
【００５４】
画像サイズの設定は、メニュー画面で行なわる。撮影中、メニュー／ＯＫボタン４０が押されると、図４（ａ）に示すように、モニタ３２に撮影メニューが表示される。この撮影メニューの中から「画像サイズ設定」を選択すると、図４（ｂ）に示すように、モニタ３２に画像サイズの設定画面が表示され、「６Ｍ」、「３Ｍ」、「１Ｍ」、「ＡＵＴＯ」の中からユーザの希望する画像サイズを設定できるようにされている。
【００５５】
ここで、「６Ｍ」は、原画像をリサイズなしで記録するモードであり、２８３２×２１２８の画像サイズで画像データが記録される。
【００５６】
また、「３Ｍ」は、原画像を１／１．４１４リサイズして記録するモードであり、２０４８×１５３６の画像サイズで画像データが記録される。
【００５７】
また、「１Ｍ」は、原画像を１／２．４４９リサイズして記録するモードであり、１２８０×９６０の画像サイズで画像データが記録される。
【００５８】
また、「ＡＵＴＯ」は、カメラ側が自動的に画像サイズを設定して記録するモードであり、撮影画像の価値に応じて画像サイズが自動設定されて記録される。
【００５９】
以下、この設定した画像サイズに応じた画像の記録処理の手順を図５に示すフローチャートに従って説明する。
【００６０】
まず、画像サイズの設定情況が判定される（ステップＳ１０）。「ＡＵＴＯ」以外に設定されている場合はステップＳ１１に進み、シャッターボタン２６の全押しの有無が判定される（ステップＳ１１）。
【００６１】
シャッターボタン２６が全押しされると、画像の取り込みが行なわれ（ステップＳ１２）、設定された画像サイズに応じたリサイズ処理が行なわれる。
【００６２】
まず、画像サイズが「６Ｍ」に設定されているか否か判定される（ステップＳ１３）。「６Ｍ」に設定されている場合は、リサイズ処理は行なわれず、撮影された画像データが、そのまま圧縮伸張回路１４６で圧縮処理され（ステップＳ１７）、記録メディア１５０に記録される（ステップＳ１８）。
【００６３】
一方、画像サイズが「６Ｍ」に設定されていない場合は、次いで画像サイズが「３Ｍ」に設定されているか否か判定される（ステップＳ１４）。「３Ｍ」に設定されている場合は、リサイズ処理が行なわれ、撮影された画像データが画像信号処理回路１３４で１／１．４１４にリサイズされる（ステップＳ１５）。そして、そのリサイズされた画像データが圧縮伸張回路１４６で圧縮処理されたのち（ステップＳ１７）、記録メディア１５０に記録される（ステップＳ１８）。
【００６４】
また、「３Ｍ」に設定されていない場合は、「１Ｍ」に設定されている場合なので、画像データが画像信号処理回路１３４で１／２．４４９にリサイズされる（ステップＳ１６）。そして、そのリサイズされた画像データが圧縮伸張回路１４６で圧縮処理されたのち（ステップＳ１７）、記録メディア１５０に記録される（ステップＳ１８）。
【００６５】
撮影した画像が、記録メディア１５０に記録されると、撮影モードの終了の有無が判定され（ステップＳ１９）、撮影モードが終了された場合は、記録処理を終了する。また、継続して撮影する場合は、ステップＳ１０に戻り、継続して記録処理が行なわれる。
【００６６】
このように、画像サイズが指定されている場合は、その指定された画像サイズに画像データがリサイズされ、そのリサイズ後の画像データが記録メディア１５０に記録される。
【００６７】
一方、画像サイズが「ＡＵＴＯ」に設定されている場合は、撮影画像の評価値に応じて画像サイズが自動設定され、その設定された画像サイズでリサイズされる。この処理は次のように行なわれる。
【００６８】
ステップＳ１０で画像サイズが「ＡＵＴＯ」に設定されていると判定されると、シャッターボタン２６の全押しの有無が判定される（ステップＳ２０）。
【００６９】
シャッターボタン２６が全押しされると、画像の取り込みが行なわれ（ステップＳ２１）、その取り込んだ画像の評価値Ｘが取得される（ステップＳ２２）。すなわち、シャッターボタン２６が全押しされ、画像が取り込まれると、その取り込んだ画像データが画像信号処理回路１３４に加えられるとともにＡＦ検出回路１３８に加えられ、評価値Ｘが演算される。なお、ここでの評価値Ｘは、特定のフォーカスエリアの評価値ではなく、撮影した画像の全体の評価値が算出される。
【００７０】
算出された評価値ＸはＣＰＵ１１０に通知され、ＣＰＵ１１０は、通知された評価値Ｘに基づいて画像サイズを設定する。
【００７１】
ここで、画像の性質と評価値との関係について説明すると、図６に示すように、評価値が高くなるにつれて、画像の空間周波数が高くなる。空間周波数が高い画像は絵柄が細かい画像であり、逆に空間周波数が低い画像は絵柄が粗い画像といえるので、空間周波数の高い、すなわち評価値の高い画像は、大きい画像サイズに設定し、空間周波数の低い、すなわち評価値の低い画像は、小さい画像サイズに設定することにより、被写体に適した画像サイズで画像を記録することができる。
【００７２】
本実施の形態のデジタルカメラ１０では、画像サイズを「６Ｍ」、「３Ｍ」、「１Ｍ」の３つのサイズに設定できるようにしているので、評価値を３つのクラスに分け、評価値Ｘがｂ以上ならば「６Ｍ」、ａ以上ｂ未満ならば「３Ｍ」、ａ未満ならば「１Ｍ」に設定する。
【００７３】
ここでは、たとえばａ＝１００００、ｂ＝２５０００とし、評価値Ｘが２５０００以上ならば「６Ｍ」、１００００以上２５０００未満ならば「３Ｍ」、１００００未満ならば「１Ｍ」に設定する。この評価値に基づく画像サイズの設定データ（画像サイズ設定データ）は、ＥＥＰＲＯＭ１１８に記憶されており、ＣＰＵ１１０は、このＥＥＰＲＯＭ１１８に記憶された画像サイズ設定データに基づいて取得した評価値Ｘから画像サイズを設定する。
【００７４】
まず、ＣＰＵ１１０は、取得した評価値Ｘがｂ（＝２５０００）以上か否か判定する（ステップＳ２３）。この判定の結果、評価値Ｘがｂ以上であれば、画像サイズを「６Ｍ」に設定する。すなわち、リサイズなしに設定する。画像サイズが「６Ｍ」に設定されると、撮影された画像データは、リサイズされずに、そのまま画像信号処理回路１３４で所定の信号処理を施された後、圧縮伸張回路１４６で圧縮処理され（ステップＳ１７）、記録メディア１５０に記録される（ステップＳ１８）。
【００７５】
一方、評価値Ｘがｂ以上でない場合は、評価値Ｘがａ（＝１００００）以上か否か判定する（ステップＳ２４）。この判定の結果、評価値Ｘがａ以上であれば、画像サイズを「３Ｍ」に設定する。画像サイズが「３Ｍ」に設定されると、撮影された画像データは、画像信号処理回路１３４で１／１．４１４にリサイズされた後（ステップＳ２５）、圧縮伸張回路１４６で圧縮処理され（ステップＳ１７）、記録メディア１５０に記録される（ステップＳ１８）。
【００７６】
評価値Ｘがａ以上でない場合は、評価値Ｘがａ未満の場合なので、この場合は画像サイズを「１Ｍ」に設定する。画像サイズが「１Ｍ」に設定されると、撮影された画像データは、画像信号処理回路１３４で１／２．４４９にリサイズされた後（ステップＳ２６）、圧縮伸張回路１４６で圧縮処理され（ステップＳ１７）、記録メディア１５０に記録される（ステップＳ１８）。
【００７７】
撮影した画像が、記録メディア１５０に記録されると、撮影モードの終了の有無が判定され（ステップＳ１９）、撮影モードが終了された場合は、記録処理を終了する。また、継続して撮影する場合は、ステップＳ１０に戻り、継続して記録処理が行なわれる。
【００７８】
このように、画像サイズが「ＡＵＴＯ」に設定されている場合は、撮影画像の評価値に応じて画像サイズが自動設定され、その設定された画像サイズでリサイズされて、画像が記録メディア１５０に記録される。
【００７９】
以上説明したように、本実施の形態のデジタルカメラ１０によれば、ユーザが画像サイズを指定することにより、撮影した画像を任意の画像サイズにリサイズできるとともに、「ＡＵＴＯ」設定にすることにより、面倒な設定を行なうことなく、画像の性質に応じた最適な画像サイズに自動変換して、撮影した画像を記録することができる。これにより、記録メディア１５０を効率よく使用することができる。
【００８０】
なお、上記実施の形態では、画像サイズを「ＡＵＴＯ」に設定して撮影した際、画像全体の評価値Ｘに基づいて画像サイズを自動設定するようにしているが、特定のエリアの評価値に基づいて画像サイズを自動設定するようにしてもよい。
【００８１】
次に本発明が適用されたデジタルカメラの第２の実施の形態について説明する。
【００８２】
上述した第１の実施の形態のデジタルカメラ１０では、画像サイズを「ＡＵＴＯ」に設定して撮影した際、撮影した画像の評価値Ｘに応じて画像サイズを自動設定するようにしているが、本実施の形態では、撮影した画像を仮圧縮し、その仮圧縮後のデータサイズに応じて画像サイズを自動設定する。
【００８３】
以下、この第２の実施の形態のデジタルカメラにおける画像記録の処理手順を図７に示すフローチャートに従って説明する。
【００８４】
なお、画像サイズをユーザが指定した場合の処理の手順は、上述した第１の実施の形態と同じなので、ここでは仮圧縮後のデータサイズに応じて画像サイズを自動設定する場合の処理の手順についてのみ説明する。したがって、画像サイズをユーザが指定した場合の処理の手順については、上述した第１の実施の形態と同じ符号を付して、その説明は省略する。
【００８５】
ステップＳ１０で画像サイズが「ＡＵＴＯ」に設定されていると判定されると、シャッターボタン２６の全押しの有無が判定される（ステップＳ３０）。
【００８６】
シャッターボタン２６が全押しされると、画像の取り込みが行なわれる（ステップＳ３１）。取り込まれた画像データは、画像信号処理回路１３４で所定の信号処理が施されたのち、メモリ１２０に格納されるとともに、圧縮伸張回路に加えられ、仮圧縮が施される( ステップＳ３２）。ここでの仮圧縮は、次のように行なわれる。
【００８７】
まず、図８に示すように、入力された画像データが８×８画素のブロックに分割され、その分割された各ブロックごとにレベルシフトされる。すなわち、図９に示すように、各ブロックにおいて各画素の信号の値から１２８差し引き、各画素の値を−１２８〜１２７の範囲の数値に変換する。
【００８８】
次に、レベルシフトされた各ブロックの画像データを離散コサイン変換（ＤＣＴ変換）して、ＤＣＴ係数に変換するとともに、所要の量子化テーブルを用いて量子化し、量子化ＤＣＴ係数に変換する。すなわち、図１０に示すように、ＤＣＴ変換されたＤＣＴ係数を所要の量子化テーブルで割り、ＤＣＴ係数中の高周波成分を取り除く。
【００８９】
変換された各ブロックごとの量子化ＤＣＴ係数はメモリ１２０に格納される。ＣＰＵ１１０は、この各ブロックごとの量子化ＤＣＴ係数の平均値を算出する( ステップＳ３３）。ここで、量子化ＤＣＴ係数の平均値は、図１１に示すように、各ブロックの同じ位置の画素の係数を足し合わせ、ｚ（＝[ （画像データ水平画素数）／８／２] ×[ （画像データ垂直画素数／８／２] ）で除算し取得する。
【００９０】
そして、得られた量子化ＤＣＴ係数テーブル中の０の個数Ｎをカウントする( ステップＳ３４）。図１１に示す例では、０の個数は４８個となる。この量子化ＤＣＴ係数テーブル中の０の個数Ｎは、画像のデータサイズを示しており、０の個数Ｎが多いほどデータサイズは小さくなる。
【００９１】
ここで、画像の性質と仮圧縮後のデータサイズとの関係について説明すると、図１２に示すように、仮圧縮後の画像のデータサイズが大きくなるにつれて、画像の空間周波数が高くなる。そして、図１３及び図１４に示すように、画像の空間周波数が高くなるにつれて、量子化ＤＣＴ係数中の０の個数Ｎが少なくなり、逆に画像の空間周波数が低くなるにつれて、量子化ＤＣＴ係数中の０の個数Ｎが多くなる（図１４（ａ) は、高い空間周波数を持つ画像の量子化ＤＣＴ係数の一例を示しており、同図（ｂ）は、低い空間周波数を持つ画像の量子化ＤＣＴ係数の一例を示している）。
【００９２】
上記のように空間周波数が高い画像は絵柄が細かい画像であり、逆に空間周波数が低い画像は絵柄が粗い画像といえるので、空間周波数の高い、すなわち量子化ＤＣＴ係数中の０の個数Ｎが少ない画像は、大きい画像サイズに設定し、空間周波数の低い、すなわち量子化ＤＣＴ係数中の０の個数Ｎが多い画像は、小さい画像サイズに設定することにより、被写体に適した画像サイズで画像を記録することができる。
【００９３】
本実施の形態のデジタルカメラ１０では、画像サイズを「６Ｍ」、「３Ｍ」、「１Ｍ」の３つのサイズに設定できるようにしているので、量子化ＤＣＴ係数中の０の個数Ｎを３つのクラスに分け、０の個数Ｎがｂ以上ならば「１Ｍ」、ａ以上ｂ未満ならば「３Ｍ」、ａ未満ならば「６Ｍ」に設定する。
【００９４】
ここでは、たとえばａ＝１５、ｂ＝３０とし、量子化ＤＣＴ係数中の０の個数Ｎが３０以上ならば「１Ｍ」、１５以上３０未満ならば「３Ｍ」、１５未満ならば「６Ｍ」に設定する。この量子化ＤＣＴ係数中の０の個数Ｎに基づく画像サイズの設定データ（画像サイズ設定データ）は、ＥＥＰＲＯＭ１１８に記憶されており、ＣＰＵ１１０は、このＥＥＰＲＯＭ１１８に記憶された画像サイズ設定データに基づいて取得した量子化ＤＣＴ係数中の０の個数Ｎから画像サイズを設定する。
【００９５】
まず、ＣＰＵ１１０は、取得した量子化ＤＣＴ係数中の０の個数Ｎがａ（＝１５）未満か否か判定する（ステップＳ３５）。この判定の結果、０の個数Ｎがａ未満であれば、画像サイズを「６Ｍ」に設定する。すなわち、リサイズなしに設定する。画像サイズが「６Ｍ」に設定されると、撮影された画像データは、リサイズされずに、そのまま画像信号処理回路１３４で所定の信号処理を施された後、圧縮伸張回路１４６で圧縮処理され（ステップＳ１７）、記録メディア１５０に記録される（ステップＳ１８）。
【００９６】
一方、量子化ＤＣＴ係数中の０の個数Ｎがａ未満でない場合は、０の個数Ｎがｂ（＝３０）未満か否か判定する（ステップＳ３６）。この判定の結果、０の個数Ｎがｂ未満であれば、画像サイズを「３Ｍ」に設定する。画像サイズが「３Ｍ」に設定されると、撮影された画像データは、画像信号処理回路１３４で１／１．４１４にリサイズされた後（ステップＳ３７）、圧縮伸張回路１４６で圧縮処理され（ステップＳ１７）、記録メディア１５０に記録される（ステップＳ１８）。
【００９７】
量子化ＤＣＴ係数中の０の個数Ｎがｂ未満でない場合は、０の個Ｎがｂ以上の場合なので、この場合は画像サイズを「１Ｍ」に設定する。画像サイズが「１Ｍ」に設定されると、撮影された画像データは、画像信号処理回路１３４で１／２．４４９にリサイズされた後（ステップＳ３８）、圧縮伸張回路１４６で圧縮処理され（ステップＳ１７）、記録メディア１５０に記録される（ステップＳ１８）。
【００９８】
撮影した画像が、記録メディア１５０に記録されると、撮影モードの終了の有無が判定され（ステップＳ１９）、撮影モードが終了された場合は、記録処理を終了する。また、継続して撮影する場合は、ステップＳ１０に戻り、継続して記録処理が行なわれる。
【００９９】
このように、本実施の形態のデジタルカメラによれば、画像サイズを「ＡＵＴＯ」に設定して撮影すると、撮影画像が仮圧縮され、その仮圧縮後の画像のデータサイズに応じて画像サイズが自動設定される。これにより、面倒な設定を行なうことなく、画像の性質に応じた最適な画像サイズに自動変換して、撮影した画像を記録することができ、記録メディアを効率よく使用することができる。
【０１００】
なお、本実施の形態では、仮圧縮時に撮影した画像データの全画素を対象に８×８画素のブロックに分割して仮圧縮の処理を施し、量子化ＤＣＴ係数の平均値を求めているが、図１５に示すように、８×８画素のブロックを１ブロック置きに取り出し、その取り出した１ブロック置きのデータを対象に仮圧縮の処理を施して、量子化ＤＣＴ係数の平均値を取得するようにしてよい。これにより、仮圧縮処理を短時間で済ませることができ、記録時間の短縮化を図ることができる。
【０１０１】
なお、上述した一連の実施の形態では、画像サイズの自動設定についてのみ説明したが、画像の圧縮率を設定できるデジタルカメラにおいては、評価値Ｘ又は量子化ＤＣＴ係数中の０の個数Ｎに応じて圧縮率も自動設定できるようにしてもよい。
【０１０２】
すなわち、たとえば画像の圧縮率を「ＦＩＮＥ」、「ＮＯＲＭＡＬ」、「ＢＡＳＩＣ」の３段階に設定できる場合において、「ＡＵＴＯ」に設定すると、撮影した画像の評価値Ｘに応じて、評価値Ｘがｂ以上ならば「ＦＩＮＥ」、ａ以上ｂ未満ならば「ＮＯＲＭＡＬ」、ａ未満ならば「ＢＡＳＩＣ」に設定する。
【０１０３】
また、たとえば量子化ＤＣＴ係数中の０の個数Ｎに応じて、０の個数Ｎがｂ以上ならば「ＢＡＳＩＣ」、ａ以上ｂ未満ならば「ＮＯＲＭＡＬ」、ａ未満ならば「ＦＩＮＥ」に設定する。
【０１０４】
これにより、画像サイズと同時に圧縮率も自動設定することができ、面倒な設定を行なうことなく、画像の性質に応じた最適な画像サイズ、圧縮率で画像を記録することができる。これにより、より効率的に記録メディアを使用することができる。
【０１０５】
なお、上述した一連の実施の形態では、本発明をデジタルカメラに適用した場合を例に説明したが、本発明の適用はデジタルカメラに限らず、デジタルビデオカメラやカメラ付き携帯電話機やカメラ付きＰＤＡ、カメラ付きパーソナルコンピュータ等の撮影機能を備えた電子機器（撮影装置）全般に適用することができる。
【図面の簡単な説明】
【０１０６】
【図１】本発明が適用されたデジタルカメラの正面斜視図
【図２】本発明が適用されたデジタルカメラの背面斜視図
【図３】本発明が適用されたデジタルカメラの内部構成を示すブロック図
【図４】撮影メニューの表示例を示す図
【図５】設定された画像サイズに応じた画像の記録処理の手順を示すフローチャート
【図６】空間周波数と評価値との関係を示すグラフ
【図７】第２の実施の形態のデジタルカメラにおける画像記録の処理手順を示すフローチャート
【図８】仮圧縮処理の説明図
【図９】仮圧縮処理の説明図
【図１０】仮圧縮処理の説明図
【図１１】仮圧縮処理の説明図
【図１２】画像のデータサイズと空間周波数との関係を示すグラフ
【図１３】空間周波数と量子化ＤＣＴ係数中の０の個数との関係を示すグラフ
【図１４】高い空間周波数を持つ画像と低い空間周波数を持つ画像の量子化ＤＣＴ係数を示す図
【図１５】仮圧縮処理の他の実施の形態の説明図
【符号の説明】
【０１０７】
１０…デジタルカメラ、１２…カメラボディ、１４…レンズ、１６…ストロボ、１８…ファインダ窓、２０…ＡＦ補助光ランプ、２２…セルフタイマランプ２２、２４…ストロボ調光センサ、２６…シャッターボタン、２８…電源スイッチ、３０…モードダイヤル、３２…モニタ、３４…ファインダ接眼部、３６…ズームボタン、３８…表示ボタン、４０…メニュー／ＯＫボタン、４２…ＢＡＣＫボタン、４４…十字ボタン、４６…バッテリーカバー、４８…三脚用ねじ穴、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…カラーＣＣＤ固体撮像素子（ＣＣＤ）、１２６…タイミングジェネレータ、１２８…アナログ処理部（ＣＤＳ／ＡＭＰ）、１３０…Ａ／Ｄ変換器、１３２…画像入力コントローラ、１３４…画像信号処理回路、１３６…ビデオエンコーダ、１３８…ＡＦ検出回路、１４０…ＡＥ／ＡＷＢ検出回路、１４２…絞り駆動部、１４４…レンズ駆動部、１４６…圧縮伸張回路、１４８…メディアコントローラ、１５０…記録メディア
【図１】
2005159603.tif 000003
【図２】
2005159603.tif 000004
【図３】
2005159603.tif 000005
【図４】
2005159603.tif 000006
【図５】
2005159603.tif 000007
【図６】
2005159603.tif 000008
【図７】
2005159603.tif 000009
【図８】
2005159603.tif 000010
【図９】
2005159603.tif 000011
【図１０】
2005159603.tif 000012
【図１１】
2005159603.tif 000013
【図１２】
2005159603.tif 000014
【図１３】
2005159603.tif 000015
【図１４】
2005159603.tif 000016
【図１５】
2005159603.tif 000017